(57)【要約】【課題】電柱等に設置される柱上蓄電装置に関し、防水防塵機能と防火構造を有し、かつ、電池の温度上昇による動作以上の発生も防止される蓄電装置を提供する。【解決手段】この柱上蓄電装置１は、二次電池２０が密封ケース５５内に収容された蓄電池ユニット５０と、その蓄電池ユニット５０が配置される収納空間を形成する外ケース７０と、前記蓄電池ユニットおよび外ケースを柱部材に取り付けるための架台ユニット９０とを備える。密封ケース５５は、外ケース内に配置された状態で上方に突出するフランジ部５１ｆ、５２ｆを有するものであって、外ケース７０のうち前面側、後面側、左側面側、右側面側のいずれかに排気口７５ａが形成されており、密封ケース５５は、前記フランジ部の延在方向が前記排気口の排出方向と略平行になるように配置されている。【選択図】図８
2017168223.tif 000002
【特許請求の範囲】
【請求項１】
二次電池が密封ケース内に収容された蓄電池ユニットと、
その蓄電池ユニットが配置される収納空間を形成する外ケースと、
前記蓄電池ユニットおよび外ケースを柱部材に取り付けるための架台ユニットと、を備え、
前記密封ケースは、外ケース内に配置された状態で上方に突出するフランジ部を有するものであって、
前記外ケースのうち前面側、後面側、左側面側、右側面側のいずれかに排気口が形成されており、
前記密封ケースは、前記フランジ部の延在方向が前記排気口の排出方向と略平行になるように配置されている、柱上蓄電装置。
【請求項２】
さらに、
前記排気口に配置されたファンを備える、請求項１に記載の柱上蓄電装置。
【請求項３】
前記排気口が、
前記外ケースのうち前面側、後面側、左側面側、右側面側のいずれかの面において、その面の幅方向の略中心に設けられている、
請求項１または２に記載の柱上蓄電装置。
【請求項４】
上面から見た場合に、
前記排気口と前記フランジ部とが同一直線上に配置されている、請求項３に記載の柱上蓄電装置。
【請求項５】
さらに、
前記外ケースの底面側に形成された吸気口と、
前記吸気口と前記排気口とを接続する少なくとも１つの冷却風流路と、
を備える、請求項１〜４のいずれか一項に記載の柱上蓄電装置。
【請求項６】
前記蓄電池ユニットは、その左右両側面が前記外ケースの内壁から離れるように配置されており、これにより、前記冷却風流路として、
（ｉ）前記排気口から、前記蓄電池ユニットの左側を通って前記排気口に続く第１の流路と、
（ｉｉ）前記排気口から、前記蓄電池ユニットの右側を通って前記排気口に続く第２の流路と、
が形成されている、請求項５に記載の柱上蓄電装置。
【請求項７】
前記蓄電池ユニットは、その前後の面が前記外ケースの内壁から離れるように配置されており、これにより、前記冷却風流路として、
（ｉ）前記排気口から、前記蓄電池ユニットの前側を通って前記排気口に続く第３の流路と、
（ｉｉ）前記排気口から、前記蓄電池ユニットの右側を通って前記排気口に続く第４の流路と、
が形成されている、請求項５または６に記載の柱上蓄電装置。
【請求項８】
請求項１〜７のいずれかに記載の柱上蓄電装置と、
それが設置される柱状部材と、
を備える柱上蓄電装置システム。
【発明の詳細な説明】
【技術分野】
【０００１】
本発明は、電柱等に設置される柱上蓄電装置および柱上蓄電装置システムに関し、特には防水防塵機能と防火構造を有し、かつ、電池の温度上昇による動作異常の発生も防止可能な柱上蓄電装置および柱上蓄電装置システムに関する。
【背景技術】
【０００２】
近年、例えば電気料金が安い深夜に蓄電池の充電を行いその電気を昼間に利用したり、太陽光発電によって昼間に充電された電気を夜間に利用したりするために蓄電装置が広く利用されるようになってきている。蓄電装置としては、工場や事業所に設置される大型のものから、店舗や一般住宅等に設置される中小型のものまで種々のものがある。
【０００３】
特許文献１には、太陽電池、蓄電池、および制御部等を備え、商用電源が得られない場合にも蓄電池から一時的に電力を供給可能な電力供給システムが開示されており、その電力供給システムが電柱上に設置される旨、記載されている。
【先行技術文献】
【特許文献】
【０００４】
【特許文献１】特開２０００−２６１９８０号公報
【発明の概要】
【発明が解決しようとする課題】
【０００５】
ところで、屋外に設置して使用される蓄電装置では、雨水や塵埃の侵入による故障が生じないような対策が取られていることが重要であり、また、防火構造が採用されていることが望ましい。他方、屋外の直射日光が当たるような環境では、二次電池の温度が上昇することとなるが、動作異常などが発生しないように、環境温度を所定の範囲内とすることも必要となる。
【０００６】
本発明は、上記のような課題に鑑みてなされたものであって、その目的は、電柱等に設置される柱上蓄電装置に関し、防水防塵機能と防火構造を有し、かつ、電池の温度上昇による動作以上の発生も防止される蓄電装置等を提供することにある。
【課題を解決するための手段】
【０００７】
上記目的を達成するための本発明の一形態に係る柱上蓄電装置は次のとおりである：
二次電池が密封ケース内に収容された蓄電池ユニットと、
その蓄電池ユニットが配置される収納空間を形成する外ケースと、
前記蓄電池ユニットおよび外ケースを柱部材に取り付けるための架台ユニットと、を備え、
前記密封ケースは、外ケース内に配置された状態で上方に突出するフランジ部を有するものであって、
前記外ケースのうち前面側、後面側、左側面側、右側面側のいずれかに排気口が形成されており、
前記密封ケースは、前記フランジ部の延在方向（上方から見た場合の延在方向のことを意図する）が前記排気口の排出方向と略平行になるように配置されている、柱上蓄電装置。
【０００８】
（本出願における用語の説明）
「柱上蓄電装置」とは、電柱等に設置して使用される蓄電装置のことをいう。
「電池セル」とは、本明細書では、例えばフィルム外装電池のような、電池の１つの単位となる電気化学セルのことをいう。
「電池モジュール」とは、１つまたは複数の電池セルと、それを収納するケースとを備え、所定の電力を出力するモジュールことをいう。
「蓄電池ユニット」とは、電池セルまたは電池モジュールをケース（ハウジング）内に収納したものをいう。
【０００９】
「フランジ部」（密封ケースのフランジ部）とは、密封ケースのケース本体部（一例で一対のケース部材で構成される）から外側に張り出した構造部であるが、ケース本体部の全周にわたって形成されるものに限らず、一部のみにわたって形成されたものも含む。
「前面側」、「後面側」、「左側面側」、「右側面側」に排気口が形成されるとは、ケースの周壁に排気口が形成されている形態だけでなく、ケース上面の蓋部材に排気口が形成されている形態も含む。
【発明の効果】
【００１０】
本発明によれば、電柱等に設置される蓄電装置に関し、防水防塵機能と防火構造を有し、かつ、電池の温度上昇による動作異常の発生も防止される柱上蓄電装置を提供することができる。
【図面の簡単な説明】
【００１１】
【図１】本実施形態に係る蓄電装置の構成を模式的に示す図であって、（ａ）が正面側から見た図であり、（ｂ）は側面側から見た図である。
【図２】蓄電池ユニットの部品を模式的に示す分解斜視図である。
【図３】外ケースの斜視図であって、（ａ）が全体の斜視図であり、（ｂ）が周壁の一部を外して示す斜視図である。
【図４】底面部材を上面側から見た平面図である。
【図５】本実施形態に係る蓄電装置の断面斜視図である。
【図６】蓄電池ユニットの外観斜視図である。
【図７】電柱に取り付けられる架台ユニットの外観斜視図である。
【図８】冷却風の流れを説明するための図である。
【図９】本実施形態に係る蓄電装置を上方から見て模式的に示す図である。
【発明を実施するための形態】
【００１２】
本発明の実施の形態を図面を参照して以下に説明する。なお、図面に表された構成はあくまで本発明の一形態であって、本発明はそれらの具体的な構成に限定されるものではなく、本発明の趣旨を逸脱しない範囲で適宜変更可能である。
【００１３】
（装置全体について）
本実施形態の柱上蓄電装置１は、例えば電柱に設置されるものであり、図１に模式的に示すように、蓄電池ユニット５０と、それを収容する外ケース７０と、それらを電柱Ｐに取り付けるための架台ユニット９０とを備えている。なお、図１では、図１（ｂ）にのみ架台ユニット９０を示している。
【００１４】
電柱Ｐには、蓄電池ユニット５０の他に、同ユニットの充放電などを制御するための制御基板等（不図示）も設けられる。柱上蓄電装置１は、非常用電源としての役割を果たすものであってもよい。例えば、系統電力から電力が得られない場合に、所定の時間のあいだ、柱上蓄電装置１から対象の負荷（一例として家庭、店舗等）に対して電力が供給される。蓄電池ユニット５０の充電については、系統電力からの給電により行われる構成としてもよい。
【００１５】
蓄電池ユニット５０は、図２に模式的に示すように、複数の電池モジュール２０が密封式のケース５５内に収容された構成となっている。密封式ケース５５は、２つのケース部品５１、５２とシールリングＲ１とで構成されている（他の構成部品があることを排除するものではない）。シールリングＲ１はＯリングのようなものであってもよい。密封ケース５５内は密閉された１つの収容空間となっている。これにより、ケース内で自己消化させ、延焼を防止することができる。このような防火構造は蓄電装置の安全性を担保する上で非常に有用である。また、本実施形態のような密封構造によれば、防水防塵機能も備わっているので、屋外に設置される蓄電装置に特に好ましい。密封式ケース５５の具体的な構造に関しては他の図面も参照して別途説明する。
【００１６】
電池モジュール２０の形状やサイズは特に限定されるものではなく、種々のものを利用できる。本実施形態では、電池モジュール２０は、一例で、薄型直方体のものとして構成されている。詳細な図示は省略するが、電池モジュール２０は、１つまたは複数のフィルム外装電池（電池セル）をハードケース内に収納したものであってもよい。内蔵されるフィルム外装電池（電池セル）としては、従来公知の一般的なものを利用可能である。
【００１７】
フィルム外装電池としては、正極板と負極板がセパレータを介して交互に積層された電池要素を有し、この電池要素が電解液とともにラミネートフィルムなどの外装フィルム内に封入されたものであってもよい。１つのフィルム外装電池の電圧は、何ら限定されるものではないが、例えば３．０Ｖ〜４．５Ｖの範囲内であってもよい。一例で、リチウムイオン二次電池における電池要素は、正極活物質をアルミニウム箔などの両面に塗布した正極板と、リチウムをドープ・脱ドープ可能な炭素材料を銅箔などの両面に塗布した負極板とを、セパレータを介して積層したものである。正極活物質としては、リチウム・マンガン複合酸化物やコバルト酸リチウム等が用いられる。電解質の溶媒としては、例えば、プロピレンカーボネート（ＰＣ）、エチレンカーボネート（ＥＣ）、ジメチルカーボネート（ＤＭＣ）やメチルエチルカーボネート等のエステル系溶媒を用いることができる。特に、燃焼性を有する揮発性の非水電解溶媒としては、例えば、ジエチルカーボネート（ＤＥＣ）等の環状カーボネート等のカーボネート系溶媒が挙げられる。
【００１８】
電池モジュール２０をその厚み方向に複数個重ねて固定具で固定することで１つの電池アセンブリが構成される。図２ではこのような横方向積層型の電池アセンブリが１つのみ示されているが、別の例として、電池アセンブリを２つ並べて配置した構成としてもよい（図５参照）。電池の総蓄電容量は、一例で、３ｋＷｈ〜２０ｋＷｈ程度であってもよい。また、蓄電装置（蓄電池ユニット５０を外ケース７０内に組み込んだもの）の重量は、５０Ｋｇ〜２００Ｋｇ程度であってもよい。
【００１９】
（密封ケースの構造）
密封ケース５５のケース部材５１、５２は、密封空間を形成し得るものであればどのような形状であってもよく、必ずしも互いに同一または対称的な形状でなくてもよいが、本実施形態では、同一または対称的な構成のものを例として説明する。また、例えば「ケース部材５１、５２に…が形成されている」といった表現をすることがあるが、この説明は必ずしも両方の部材がそのような構成である必要はなく、いずれか一方のみがそのような構成であることをも含む。
【００２０】
ケース部材５１は、カップ５１ｃと、その開口側の周縁のところに設けられたフランジ部５１ｆとを有している。ケース部材５２も同様であり、カップ部５２ｃとフランジ部５２ｆを有している。ケース部材５１、５２は全体としてバスタブのような形状をしている。
【００２１】
ケース部材５１、５２の材質としては金属（例えば、スチール、ステンレス、銅、真鍮、アルミ、それらに塗装またはめっきを施したもの等）であってもよい。圧延鋼板、ステンレス鋼板等を利用することができる。材質の厚みとしては、例えば０．５ｍｍ〜３．０ｍｍの範囲内としてもよい。この範囲内の材質であれば、電池カバーの加工性を大きく損なうことなく、一方で高信頼性な防火構造を実現することができる。
【００２２】
ケース部材５１、５２を作製する方法は、どのようなものであっても構わないが、例えば、一枚の板材をプレス加工（一例で深絞り加工）して一体的に形成したものであってもよいし、溶接により接合を行って形成したものであってもよい。一枚の板材を深絞り加工で形成した場合、カップ部の稜線部分や、カップ部とフランジ部との接続部分を滑らかな湾曲形状で継ぎ目なく形成することができ、密封性や高強度の観点から好ましい。また、溶接などの作業が不要であるので製造コストの観点からも好ましい。なお、図２では、カップ部５１ｃ、５２ｃの稜線部分などを角ばった状態で模式的に示しているが、当然ながら、プレス加工等で電池カバーを作製する場合には、稜線部分はなだらかな湾曲形状（Ｒ状）に形成される。
【００２３】
ケース部材５１のフランジ部５１ｆと、ケース部材５２のフランジ部５２ｆとの間には、環状シール部材Ｒ１が挟み込まれる。フランジ部５１ｆ、５２ｆどうしは、ネジやピンのような固定具により機械的に固定されるものであってもよい。
【００２４】
密封ケース５５の内部空間の形状はどのようなものであっても構わないが、内部に収容する電池モジュール２０の形状等を考慮すると、角筒形状またはそれに近い形状であることが好ましい。フランジ部５１ｆ、５２ｆの輪郭形状は四角形であり、図２に示すように角部が直角に形成されていてもよいし、図１に示すように角部が丸みをもたせた円弧状に形成されていてもよい。
【００２５】
なお、図１、図２、図５および図６では図示していないが、実際には、密封ケース５５の所定個所に正極お端子および負極端子が設けられている。
【００２６】
（外ケース）
続いて、外ケース７０について説明する。外ケース７０は、蓄電池ユニット５０が収納される箱体である。材質は、樹脂材料などであってもよいが、本実施形態では金属材料である。例えばステンレス鋼板に対して、曲げ加工、プレス加工等を施して各部材が形成されたものであってもよい。
【００２７】
図３（ａ）、（ｂ）に示すように、外ケース７０は、底面部材７８と、側壁部材（前面７１、背面７２、右側面７３、左側面７４）と、側壁部材の上部に配置された蓋部材７５とを有している。限定されるものではないが、図３の例では、外ケース７０は全体として概ね立方体形状である。蓋部材はやや低い略四角錐型をしている。別の言い方をすれば、蓋部材７５は、略中心部を頂部として、中心部から外側にいくにつれて徐々に高さが低くなる複数の斜面を有する形状となっている。
【００２８】
側壁部材としては、前面７１、背面７２、右側面７３、左側面７４のそれぞれを１枚ずつの鋼板で形成するようにしてもよいし、図３（ｂ）のように、略Ｕ字形に折り曲げた２枚の鋼板を用いるものであってもよい（一方の部材のみ示す）。略Ｕ字形に折り曲げた２枚の鋼板を対向させて配置することで、蓄電池ユニットを取り囲む周壁が構成される。
【００２９】
底面部材７８は、この例ではフラットな底面７９を有し、その底面７９には、外気を取り込むための吸気口７８ａが形成されている。図４は、底面部材７８を上面側から見た平面図である。吸気口７８ａは、図中の中心線Ｌ１を挟んで左右に１つずつ、および、中心線Ｌ２を挟んで前後に１つずつ形成されている。吸気口７８ａは中心線Ｌ１を挟んで対称形となっていてもよい。吸気口７８ａは中心線Ｌ２を挟んで対称形となっていてもよい。吸気口７８ａはいずれも同形状であるが、別の態様では異なる形状であってもよい。
【００３０】
図４中、符号Ｓ５０で示す領域は、蓄電池ユニット５０を上方から投影した領域である。吸気口７８ａは、この領域Ｓ５０の内側領域に形成されていることが好ましい（吸気口７８ａの一部が領域Ｓ５０内に形成されていることも含む）。このようにすることで、蓄電池ユニット５０の下方領域に吸気口７８ａが存在することとなり、吸気口７８ａから入った外気が、蓄電池ユニット５０の下部側を通過してそこで気熱交換が行われ、広い範囲で冷却が行われることとなるためである。
【００３１】
外ケース７０の蓋部材７５（図３参照）に関して、この蓋部材７５は上述のとおり略四角錐型をしており、その一部に排気口７５ａが形成されている。蓋部材７５がこのような形状となっていることにより、次のような利点が得られる。（ｉ）第１は、蓋部材７５の上面がフラットではなく斜面となっているので、雨水や埃などが上面に溜まり難いという点である。
【００３２】
（ｉｉ）第２は、蓋部材７５をこのような形状とすることで、ケース内部の蓄電池ユニット５０の上部の空間Ｖａ（図１参照）も、蓋部材７５の形状に対応して略四角錘状となる。このような形状の空間Ｖａは、一箇所の排気口７５ａから効率よく熱を逃がすのに有利である。この理由は、このような形状の場合、直方体状の空間の場合と比較して、空間内の角部付近での空気の滞留が生じにくく、内部の空気を効率的に排出できるためである。
【００３３】
排気口７５ａは、必ずしも蓋部材７５に形成されている必要はないが、外ケース７０の上部側に設けられていることが効率的な排気の観点から好ましい。本実施形態では、蓋部材７５の一部に覆い部７６を設け、そこに排気口７５ａを形成している。覆い部７６は、蓋部材７５の一部を上方に突出させた屋根のような部分であり、排気口７５ａはその下方に形成される。排気口７５ａは、上方に向かって開口するのではなく側方に向かって開口している。このような構成によれば、排気口７５ａを通じて外ケース７０内に雨や埃が入りにくいので、蓄電装置の信頼性を長期にわたって確保することができる。排気口７５ａはこの例ではその開口面が鉛直面となるような態様で形成され、これにより雨や埃が入りにくようになっているが、必ずしもこれに限定されるものではなく、開口面が鉛直面に対してやや傾斜（例えば３０°以下での傾斜）するような構成としてもよい。
【００３４】
排気口７５ａには、ファンなどの送風装置８０が配置されている。送風装置８０は、防水仕様のものであることが好ましい。送風装置８０の他に、送風装置８０を駆動するためのコントローラ等（不図示）がケース内に配置されていてもよい。送風装置８０は、蓄電池ユニット５０から電力が供給されるものであってもよいし、例えば太陽電池等から電力が供給されるものであってもよい。
【００３５】
太陽電池パネルを設ける場合、そのパネルを蓋部材７５の上面に配置するようにしてもよい。この際、発電用パネルと蓋部材７５との間に空間ができるように、同パネルをスペーサなどを介して浮かせた状態で取り付けるようにしてもよい。
【００３６】
（蓄電池ユニットの配置）
続いて、外ケース７０と蓄電池ユニット５０の配置関係について説明する。
【００３７】
蓄電池ユニット５０は、図１（ｂ）、図５に示すように、外ケース７０の側壁との間に所定距離の隙間をあけた状態で配置されている。より具体的には、図１（ｂ）に示すように、蓄電池ユニット５０の前面と外ケース７０の前面との間、および、蓄電池ユニット５０の後面と外ケース７０の後面との間に隙間が設けられており、それぞれ、空気が通過する流路ｆ１、ｆ２となっている。流路ｆ１、ｆ２の幅（すなわち蓄電池ユニットから外ケースまでの距離）は、この例では略同一に形成されている。
【００３８】
このような構成によれば、蓄電池ユニット５０の前面および後面のいずれか一方のみに流路を設ける構成と比較して、蓄電池ユニット５０の前面側および後面側をバランスよく均一的に冷却することが可能となる。
【００３９】
一方、図１（ａ）、図５に示すように、蓄電池ユニット５０の右側面と外ケース７０の右側壁との間、および、蓄電池ユニット５０の左側面と外ケース７０の左側壁との間にも隙間が設けられており、それぞれ、空気が通過する流路ｆ４、ｆ３となっている。流路ｆ３、ｆ４の幅（すなわち蓄電池ユニットから外ケースまでの距離）も、この例では略同一に形成されている。
【００４０】
このような構成によれば、蓄電池ユニット５０の左右のいずれか一方のみに流路を設ける構成と比較して、蓄電池ユニット５０の左右両側をバランスよく均一的に冷却することが可能となる。
【００４１】
図１（ａ）に示すように、左右の吸気口７８ａおよび左右の流路ｆ３、ｆ４については、中心線ＣＬを挟んで左右対象となっていることが、一形態において、好ましい。
【００４２】
蓄電池ユニット５０の上部の比較的広い空間Ｖａは、直射日光により蓋部材７５の温度が上昇したとしてもその熱を蓄電池ユニット５０まで伝わりにくくする役割を果たす。空間Ｖａの高さ寸法（最大部分）は、一例で、３０ｍｍ以上２００ｍｍ以下程度であってもよい。３０ｍｍ未満であると蓋部材からの熱が蓄電池ユニットに伝わりやすく内部の電池の温度上昇につながることとなり、一方、２００ｍｍを超えるような寸法では蓄電装置全体のサイズが大型化するためである。
【００４３】
なお、蓄電池ユニット５０は、図６に示すようなステイ８１を用いて外ケース７０の底面部材７８に取り付けられる。ステイ８１は、金属製であり、密封ケース５５の外面と、底面部材７８の内面とに固定される。固定は例えば、ネジやピンなどの固定具を使用するもの、溶接によるもの、またはそれらの組合せで行うことができる。
【００４４】
ステイ８１は、それらの間に隙間が生じるように、互いに離して配置することが好ましい。これにより流路ｆ′が形成され、ここ通じて冷却風を流すことが可能となるためである。ステイ８１の個数は特に限定はないが、この例では、蓄電池ユニット５０の下端の四隅部に１つずつ設けられている。
【００４５】
（架台ユニット）
架台ユニット９０は、図７、図１（ｂ）に示すように、架台９１と、架台９１を支持する支持部材９３−１、９３−２と、支持部材９３−１、９３−２の端部をそれぞれ電柱Ｐに固定するための固定部材９５−１、９５−２とを備えている。
【００４６】
架台９１は、この例では略平坦な受け面９２を有しており、ここに、蓄電池ユニット５０が内部に配置された状態の外ケース７０が載置される。受け面９２には、外ケース７０の吸気口７８ａと対応するサイズおよび位置にそれぞれ形成された開口部９１ａが設けられている。
【００４７】
外ケース７０を架台９１に対して十分な強度で固定するために、ボルトおよびナットのような固定具や、必要に応じて固定バンド（布製であるか金属製であるかは問わない）等が用いられてもよい。これらの固定バンド等は、外ケース７０を電柱Ｐに固定するのに用いられてもよい。
【００４８】
固定部材９５−１、９５−２は、環状の固定具であり電柱Ｐに対して取り付けられる。詳細な図示は省略するが、固定部材９５−１、９５−２は、略半円弧形の第１の部材と略半円弧形の第２の部材とで構成されるようなものであってもよい。
【００４９】
以上のように構成された本実施形態の柱上蓄電装置１は、二次電池を密封式のケース５５に収容して外ケース７０内に収めたものであるので、防水防塵機能と防火構造を備え、屋外設置に好適なものとなる。また、ケース内に外気を取り込む吸気口７８ａと、ケース内の空気を外部に排出する排気口７５ｂと、それらを接続する冷却風流路（ｆ１〜ｆ４）とが形成されているので、冷却風を流して蓄電池ユニット５０を冷却することができ、電池の温度上昇による動作異常の発生を防止することが可能となる。
【００５０】
また、本実施形態の構成によれば、例えばヒートポンプのような強制的な冷却を行うデバイスを搭載する必要が無いので、柱上に設置される蓄電装置の小型軽量化に有利であり、しかも、ヒートポンプを作動させるためのエネルギーも不要である。
【００５１】
なお、吸気口や排気口の数、形状、サイズ等は適宜変更可能であるが、直射日光状況下であっても二次電池（特にはリチウムイオン電池セル）の温度が４５℃を超えないように設計することが、動作異常発生防止の観点から、好ましい。
【００５２】
吸気口７８ａが外ケース７０の底面に形成され、排気口７５ａが外ケースの上部側に形成されていることで、下方から上方に向かって冷却風を自然対流で流すことができる。ファンなどの送風装置８０は場合によっては省略してもよいが、効率的な排気の観点からは、設けられていることが好ましい。
【００５３】
蓄電池ユニット５０の配置に関し、図８（ｂ）のように、フランジ部５１ｆ、５２ｆの向きが送風装置８０と平行（すなわち、冷却風の「排気方向」と交差する方向）となる配置よりも、図８（ａ）のように、フランジ部５１ｆ、５２ｆの向きが送風装置８０と交差する（「排気方向」と平行）配置であることが好ましい。この理由は、図８（ｂ）の配置の場合、フランジ部５１ｆ、５２が、後側から前方に向かう冷却風の流れ（符号ｆ２参照）の障害となりうるのに対して、図８（ａ）の配置では後側から前方に向かう冷却風を良好に排気口７５ａ（ファン８０）へと導くことができるためである。
【００５４】
図９は本実施形態の蓄電装置を上方から見て模式的に示す図である。同図に示すように、フランジ部５１ｆ、５２ｆの延在方向は、上記した排気口７５ａの排出方向（図中の上下方向）と平行となっている。排気口７５ａは外ケース７０の前面側において、その面の幅方向（左右方向）の中心に設けられている。また、この例では、蓄電池ユニット５０の左右で冷却風の流路ｆ３、ｆ４が左右対象に形成されている。
【００５５】
このような構成によれば、蓄電地ユニット５０の左右両側でほぼ同じように冷却風を流すことが可能となるため、左右均一に冷却を行うことが可能となり有利である。もっとも、これは、完全に左右対称の構造とすることを必要とするものではない。中心線Ｌ１（フランジ部の延在方向である）が、排気口７５ａの真ん中を通過するような構成となっていることが好ましいが、他の態様では、中心線Ｌ１が排気口７５ａの端部付近を通過するような構成であってもよい。更には、排気口７５ａが中心線Ｌ１から位置をずらして配置されていてもよい。排気口７５ａの横方向の位置に関し、ケースの左右方向の完全に真ん中である必要はなく、その中心の位置を僅かにずらして（例えば中心線Ｌ１からのずれ量がケースの幅寸法の１５％以内程度、これを「略中心」という）配置するようにしてもよい。
【００５６】
以上、本発明の一形態について説明したが、柱上蓄電装置の各部の形状、材質、サイズ、構造等は適宜変更可能である。
例えば、外ケースを構成する蓋部材は、上記では四角錘状のものを説明したが、他にも、上面が１つの斜面のみで構成されるものや、２つの斜面（逆Ｖ字状、屋根型）で構成されるものであってもよい。
【００５７】
排気口は、外ケースのうち前面側、後面側、左側面側、右側面側のいずれかに形成可能である。上記実施形態では、排気口が１つであったが、複数の排気口を設けるようにしてもよい。例えば、蓄電装置前方側の排気口７５ａ（図１参照）以外に、後方側の排気口（不図示）を設けることも可能である。
【００５８】
吸気口に関しても、１つ、２つ、３つ、または５つ以上の吸気口を形成するようにしてもよい。吸気口と排気口とを接続する流路に関し、上記実施形態では流路ｆ１〜ｆ４が実際には互いにつながっている例を説明したが、仕切りを設けるなどして、互いに独立した流路を形成するようにしてもよい。
【００５９】
架台ユニットの形状を変更し電柱以外の所定の対象物に蓄電装置を取り付けるようにしてもよい。
【００６０】
（付記）
本出願は以下の発明を開示する：
なお、括弧内の符号はあくまで参考として付したものであり、本発明を何ら限定するものではない。
１．二次電池（２０）が密封ケース（５５）内に収容された蓄電池ユニット（５０）と、
その蓄電池ユニット（５０）が配置される収納空間を形成する外ケース（７０）と、
前記蓄電池ユニットおよび外ケースを柱部材に取り付けるための架台ユニット（９０）と、を備え、
前記密封ケース（５５）は、外ケース内に配置された状態で上方に突出するフランジ部（５１ｆ、５２ｆ）を有するものであって、
前記外ケース（７０）のうち前面側、後面側、左側面側、右側面側のいずれかに排気口（７５ａ）が形成されており、
前記密封ケース（５５）は、前記フランジ部の延在方向が前記排気口の排出方向（排気口に直行する方向）と略平行になるように配置されている、柱上蓄電装置。
なお、フランジ部の延在方向が排気口の排出方向と略平行になるとは、フランジ部の向きが排気口（開口部）に対して直交しているまたは実質的に直交していることを意図する。実質的に直交するとは、本出願では、９０°の角度で交わるのではなく例えば９０°±１５°の範囲で交わっていることを意図する。
【００６１】
２．さらに、前記排気口に配置されたファン（８０）を備える、上記記載の柱上蓄電装置。
【００６２】
３．前記排気口（７５ａ）が、前記外ケースのうち前面側、後面側、左側面側、右側面側のいずれかの面において、その面の幅方向の略中心（図４のＬ１参照）に設けられている、上記記載の柱上蓄電装置。
【００６３】
４．上面から見た場合に、前記排気口（７５ａ）と前記フランジ部とが略同一直線（Ｌ１）上に配置されている、上記記載の柱上蓄電装置。
【００６４】
５．さらに、前記外ケースの底面側に形成された吸気口と、前記吸気口と前記排気口とを接続する少なくとも１つの冷却風流路と、を備える、上記記載の柱上蓄電装置。
【００６５】
６．前記蓄電池ユニットは、その左右両側面が前記外ケースの内壁から離れるように配置されており、これにより、前記冷却風流路として、
（ｉ）前記排気口から、前記蓄電池ユニットの左側を通って前記排気口に続く第１の流路と、
（ｉｉ）前記排気口から、前記蓄電池ユニットの右側を通って前記排気口に続く第２の流路と、が形成されている、上記記載の柱上蓄電装置。
【００６６】
７．前記蓄電池ユニットは、その前後の面が前記外ケースの内壁から離れるように配置されており、これにより、前記冷却風流路として、
（ｉ）前記排気口から、前記蓄電池ユニットの前側を通って前記排気口に続く第３の流路と、
（ｉｉ）前記排気口から、前記蓄電池ユニットの右側を通って前記排気口に続く第４の流路と、が形成されている、上記記載の柱上蓄電装置。
【００６７】
８．上記記載の柱上蓄電装置と、それが設置される柱状部材と、を備える柱上蓄電装置システム。
【００６８】
前記密封ケースは、金属製の第１のケース部材および第２のケース部材を備え、各ケース部材は、カップ部とフランジ部とを有するバスタブ形状のものであって、カップ部の稜線部分およびカップ部とフランジ部の接続する稜線部分が湾曲形状となっている、上記記載の柱上蓄電装置。ケース部材は、深絞りにより形成されたものであってもよく、より具体的には、バスタブの底に対応する底面と、その底面から繋がって形成された４つの周壁面（テーパ面）とを有するものであってもよい。
【符号の説明】
【００６９】
１  柱上蓄電装置
２０  電池モジュール
５０  蓄電池ユニット
５１、５２  ケース部材
５１ｃ、５２ｃ  カップ部
５１ｆ、５１ｆ  フランジ部
７０  外ケース
７１  前面
７２  背面
７３  右側面
７４  左側面
７５  蓋部材
７５ａ  排気口
７６  覆い部
７８  底面部材
７８ａ  吸気口
８０  送付装置
９０  架台ユニット
９１  架台
９２  受け面
９３−１、９３−２  支持部材
９５−１、９５−２  固定部材
ｆ１、ｆ２、ｆ３、ｆ４  流路
Ｒ１  シール部材
Ｖａ  空間
【図１】
2017168223.tif 000003
【図２】
2017168223.tif 000004
【図３】
2017168223.tif 000005
【図４】
2017168223.tif 000006
【図５】
2017168223.tif 000007
【図６】
2017168223.tif 000008
【図７】
2017168223.tif 000009
【図８】
2017168223.tif 000010
【図９】
2017168223.tif 000011